(57)【要約】【課題】周囲の仕上がり高さに合わせて枡本体の高さを調整することができ、施工性に優れたケーブル接続用枡とその施工方法を提供する【解決手段】上部の開口部７と側面部５，６と底面部４を有する枡本体２と、開口部７に設ける蓋体３とを備え、枡本体２をベース32上に設ける。側面部５に薄肉部11，11，12を形成し、底面部４には、ベース32に対する枡本体２の高さを調整する高さ調整ネジ14を設ける。造成地などに枡本体２を設置し、外部ケーブルなどを引き込んで造成段階における接続用枡１の作業を終了する。そして、建築物の施工段階で、ケーブル挿入用の薄肉部11，11，12を開口し、ここから建築物側のケーブルを挿入し、外部ケーブルと接続し、また、ケーブル接続用枡１の周囲の仕上がりに合わせて、枡本体２の高さを調整して設置することができる。【選択図】図９
2008245435.tif 000002
【特許請求の範囲】
【請求項１】
上部の開口部と側面部と底面部を有する枡本体と、前記開口部に設ける蓋体とを備え、前記枡本体内にケーブルが引き込まれ、前記枡本体をベース上に設けるケーブル接続用枡において、前記底面部には、前記ベースに対する前記枡本体の高さを調整する高さ調整手段を設けたことを特徴とするケーブル接続用枡。
【請求項２】
前記高さ調整手段は、前記底面部に螺合した複数の高さ調整ネジであることを特徴とする請求項１記載のケーブル接続用枡。
【請求項３】
前記高さ調整ネジの数が３本であることを特徴とする請求項２記載のケーブル接続用枡。
【請求項４】
前記底面部に凹部を形成し、この凹部の底部に前記高さ調整ネジを螺合し、この高さ調整ネジの工具係合部を前記凹部に収納したことを特徴とする請求項２又は３記載のケーブル接続用枡。
【請求項５】
請求項１記載のケーブル接続用枡の施工方法において、設置場所に溝を設け、この溝に前記ベースを設け、このベースに前記枡本体を仮置きし、この枡本体に外部ケーブルを引き込んだ後、前記高さ調整手段により、前記枡本体の高さを設置場所の仕上げ高さに対応した高さに調整する高さ調整工程と、他のケーブルを枡本体内に引き込み、前記外部ケーブルと前記他のケーブルとを接続する工程とを備えることを特徴とするケーブル接続用枡の施工方法。
【発明の詳細な説明】
【技術分野】
【０００１】
本発明は、電力線や通信線などのケーブルを内部で接続するケーブル接続用枡とその施工方法に関する。
【背景技術】
【０００２】
従来、この種のケーブル接続用枡として、底壁及びケーブル類が挿通される側壁を備えて箱型に形成され地中に埋設される本体を有するもの（例えば、特許文献１）や、分岐枡は、上部が開口し該開口を蓋体で開閉可能に閉塞し、側壁にダクトスリーブを接続する複数のノックアウト部を形成した有底の中空立方体からなり、前記分岐枡は地中に掘削した穴底の土台に載置して安定固定される（例えば特許文献２）。
【０００３】
このような分岐枡の施工例を図１７に示す。同図は、設置場所である宅地などの造成地101に設ける分岐枡102を示し、この分岐枡102は枡本体103と蓋体104とを備える。まず、造成予定地を造成する際、掘削孔105を形成し、この掘削孔105に土台となるベース106を構築し、このベース106上に前記枡本体103を設置する。また、枡本体103には、電力線や通信線などの外部ケーブル107を引き込み、蓋体104を閉め、前記外部ケーブル107の接続部107Ａを枡本体103内に収納する。
【０００４】
このようにして宅地の造成が終了した後、造成地101は住宅施工業者などに引き渡され、住宅などの建築が行われる。この住宅は施主に合わせて築造されるから、造成段階では、分岐枡102の周囲がどのようになるかは決まっていない。そして、引渡し後、蓋体104を開け、枡本体103の側壁に形成したノックアウト部などから、その住宅で使用する電力供給用などのケーブル（図示せず）を引き込み、このケーブルと前記外部ケーブル107とを接続し、接続後、蓋体104を閉め、分岐枡102を埋め戻し、周囲を仕上げる。
【０００５】
このような分岐枡102は、点検などのために、後日、蓋体104を開けるように設置され、造成段階では、一般的な使用環境に合わせてその埋設高さを設定し、周囲と面一に設けたり、周囲より低く設置したりする。
【０００６】
これに対して、住宅周りの仕上がりによって、周囲の高さが変わるため、造成段階では分岐枡101を周囲に合わせた高さに設定することができず、例えば、周囲がインターロッキングブロック（例えば、特許文献３及び特許文献４）などにより仕上げられると、そのインターロッキングブロックの高さと蓋体104の上面との高さを合わせようとしても、インターロッキングブロックを用いた仕上がりでは、分岐枡102の周囲が高くなり、段差が生じるなどの不具合が生じ易い。
【特許文献１】特開２００２−３３５６１３号公報
【特許文献２】特開２００２−１７０３０号公報
【特許文献３】特許第３２６６２４１号公報
【特許文献４】特許第３７１８０６１号公報
【発明の開示】
【発明が解決しようとする課題】
【０００７】
そこで、本発明は、上記課題を解決するものであり、周囲の仕上がり高さに合わせて枡本体の高さを調整することができ、施工性に優れたケーブル接続用枡とその施工方法を提供することを目的とする。
【課題を解決するための手段】
【０００８】
請求項１の発明は、上部の開口部と側面部と底面部を有する枡本体と、前記開口部に設ける蓋体とを備え、前記枡本体内にケーブルが引き込まれ、前記枡本体をベース上に設けるケーブル接続用枡において、前記底面部には、前記ベースに対する前記枡本体の高さを調整する高さ調整手段を設けたものである。
【０００９】
また、請求項２の発明は、前記高さ調整手段は、前記底面部に螺合した複数の高さ調整ネジである。
【００１０】
また、請求項３の発明は、前記高さ調整ネジの数が３本である。
【００１１】
また、請求項４の発明は、前記底面部に凹部を形成し、この凹部の底部に前記高さ調整ネジを螺合し、この高さ調整ネジの工具係合部を前記凹部に収納したものである。
【００１２】
また、請求項５の発明は、請求項１記載のケーブル接続用枡の施工方法において、設置場所に溝を設け、この溝に前記ベースを設け、このベースに前記枡本体を仮置きし、この枡本体に外部ケーブルを引き込んだ後、前記高さ調整手段により、前記枡本体の高さを設置場所の仕上げ高さに対応した高さに調整する高さ調整工程と、他のケーブルを枡本体内に引き込み、前記外部ケーブルと前記他のケーブルとを接続する工程とを備える施工方法である。
【発明の効果】
【００１３】
請求項１の構成によれば、造成地などに枡本体を設置し、外部ケーブルなどを引き込んで造成段階における接続用枡の作業を終了する。そして、建築物の施工段階で、薄肉部を、はつるなどして開口し、ここから建築物側のケーブルを挿入し、外部ケーブルと接続し、また、ケーブル接続用枡の周囲の仕上がりに合わせて、枡本体の高さを調整して設置することができる。したがって、周囲が、建築物の舗装箇所、芝生箇所、インターロッキング箇所などの各種の仕上がりになっても、それらの高さに合わせてケーブル接続用枡を設置することができる。
【００１４】
また、請求項２の構成によれば、ベース上に載置した後、蓋体を開き、枡本体の内部から高さ調整ネジを操作して枡本体の高さを調整することができる。また、高さ調整ネジは、先端がベースに接触するから、摩擦抵抗が少なく、調整時にスムーズに回すことができ、一方、複数の高さ調整ネジがベースに接することにより、枡本体が横方向にずれにくい構造となる。
【００１５】
また、請求項３の構成によれば、高さ調整ネジによる３点支持により、ベースに枡本体を安定して載置することができ、各高さ調整ネジを操作することにより、高さ調整と共に枡本体の傾き調整を容易に行うことができる。
【００１６】
また、請求項４の構成によれば、高さ調整ネジの工具係合部が凹部内に収納されるため、工具係合部が枡本体の内面に突出することがなく、ケーブル接続作業の邪魔になることがない。
【００１７】
また、請求項５の構成によれば、ベースに前記枡本体を仮置きし、この枡本体に外部ケーブルを引き込んだ後、建築物などの施工を開始するまでの間、蓋体を閉め、ケーブル作業を中断する。そして、設置場所の施工が決まったら、設置場所で用いる電力や通信線などのケーブルを、枡本体内の外部ケーブルと接続し、また、設置場所の仕上がりに合わせて、枡本体の高さを調整することにより、ケーブル接続用枡を周囲に合わせて設置することができる。
【発明を実施するための最良の形態】
【００１８】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規なケーブル接続用枡とその施工方法を採用することにより、従来にないケーブル接続用枡とその施工方法が得られ、ケーブル接続用枡とその施工方法を夫々記述する。
【実施例１】
【００１９】
以下、本発明の実施例１について、図１〜図１０を参照しながら説明する。同図に示すように、ケーブル接続用枡１は、ほぼ箱形の枡本体２と蓋体３とからなり、これら枡本体２と蓋体３には、プレキャストコンクリート製品を用いることができる。前記枡本体２は、平面が略長方形形状の底面部４と、この底面部４の四方に立設した側面部５，５，６，６と、これら側面部５，５，６，６の上部に形成された開口部７とを備え、断面略Ｕ字状をなし、その開口部７に複数の前記蓋体３を着脱可能に配置して該開口部７が開閉される。また、前記開口部７の内面には段部８が周設され、この段部８に前記蓋体３の下面端部が載置される。この例では、開口部７の３分の１の大きさを有する３枚の蓋体３を用いているが、開口部７の２分の１の大きさを有する２枚の蓋体を用いて開口部７を開閉してもよい。
【００２０】
長さ方向端部の前記側面部５，５には、これら側面部５，５の内外面にそれぞれ裁頭円錐型の凹部を形成することにより薄肉部11，11，12が形成され、図２に示すように、側面部５の下部左右に薄肉部11，11を並設し、これら薄肉部11，11の中間上部に、それらより小径な前記薄肉部12が設けられている。前記薄肉部11，11，12はノックアウト部であり、薄肉部11，11，12を削ったり、はつったりすることにより、内外を連通する開口を形成することができる。例えば、一方の薄肉部11箇所には電力線、他方の薄肉部11箇所には信号線、薄肉部12箇所には、街灯などの建築物周囲に用いる外部電力線などを挿通することができる。
【００２１】
前記枡本体２の底面部４には、該枡本体２の高さを調整する高さ調整手段13が設けられ、この例の高さ調整手段13は、前記底面部４に螺合する複数の高さ調整ネジ14により構成されている。図４に示すように、前記底面部４には、接続用枡１の長さ方向一側で幅方向に間隔をおいた対称位置に、前記高さ調整ネジ14，14を設け、これら高さ調整ネジ14，14と長さ方向の対称位置で幅方向中央に前記高さ調整ネジ14を設けており、これら３本の高さ調整ネジ14，14，14を用いた３点支持で、後述するベース上で、枡本体２の高さを調整可能に構成している。
【００２２】
図５の縦断面図に示すように、前記底面部４の内面には、裁頭円錐型の収納凹部15を形成し、この収納凹部15の底面と底面部４の外面との間に、鋼製などからなる雌螺子筒16をインサートで設け、この雌螺子筒16に前記高さ調整ネジ14を螺合し、この高さ調整ネジ14の工具係合部である六角頭部14Ａを、前記収納凹部15内に収納している。また、前記高さ調整ネジ14の先端14Ｂは、摩擦を減らすため、略半球状に形成されている。
【００２３】
前記底面部４の中央には、内面側に凹部17を形成した薄肉部18を形成している。また、底面部４には、複数の充填孔19が穿設され、この例では、中央の薄肉部18を挟んだ長さ方向両側にそれぞれ充填孔19，19を設けている。尚、充填孔19は上方に拡大するテーパー孔である。尚、図４中、20は底面部４の内面に複数設けた吊金具である。
【００２４】
前記蓋体３の下面の幅方向両側には、下方に突出する突条部21が形成され、この突条部21が前記段部８に載置され、それら突条部21と段部８との間に、がたつき防止用のパッキン22を配置する。また、蓋体３には、幅方向中央で長さ方向両側に、孔を穿設し、この孔に筒状をなす鍵鋼23が固着されている。また、この鍵鋼23には、ゴムなどからなる栓体24が着脱可能に装着され、この栓体24は、平板部24Ａと前記鍵鋼23に挿入する筒状部24Ｂとを備える。
【００２５】
図９に示すように、前記ケーブル接続用枡１は、設置場所Ｓに形成した溝31内に設けられ、この溝31の底部に、基礎となるベース32が形成されている。このベース32は、基礎砕石により形成した透水性を有する基礎砕石層33の上に、コンクリート版などからなり不透水性の敷板34を重ね合わせてなる。また、この敷板34の下面には、前記枡本体２の底面部４の薄肉部18に対応して、凹部34Ａを形成し、凹部34Ａ箇所を薄肉部35に形成している。
【００２６】
尚、図中、36は、前記充填孔19から底面部４と敷板34との間に充填した無収縮モルタルなどの充填材である。
【００２７】
次に、前記ケーブル接続用枡１の施工方法の一例を説明する。設置場所Ｓである宅地などの造成地において、造成作業に付随して溝31を形成し、この溝31にベース32を構築し、このベース32上に枡本体２を載置する。この場合、枡本体２は底面部４から突出する３本の高さ調整ネジ14により支持される。この場合、高さ調整ネジ14による３点支持により、ベース32に枡本体２を安定して載置することができ、複数の高さ調整ネジ14がベース32の敷板34に圧接することにより、枡本体２が横方向にずれにくい構造となる。
【００２８】
そして、一方の側面部５の薄肉部11，11，12を打ち破って外部ケーブル42，42，42を枡本体２内に引き込み、枡本体２内に外部ケーブル42，42，42の接続端部43，43，43を収納する。尚、接続用枡１外部の地中に埋設される外部ケーブル42は、合成樹脂などからなるフレキシブルチューブ44に収納されている。そして、図９の状態から、蓋体３を閉めて造成を完了する。このような造成地では、分譲後、施主が決まった場所から宅地などの建築物の施工が行われる。
【００２９】
住宅などの建築物を施工する際、ケーブル接続用枡１の周囲の仕上がりが決まったら、周囲に合わせて枡本体２の高さを調整する。蓋体３を開き、枡本体２の内部から高さ調整ネジ14を操作して枡本体２の高さを調整することができ、その高さ調整ネジ14は、先端14Ｂがベース32の敷板34に接触するから、摩擦抵抗が少なく、高さ調整時にスムーズに回すことができる。
【００３０】
高さ調整後、充填孔19から底面部４とベース32との間に充填材36を充填し、充填材36が硬化することによりベース32に接続用枡１が一体支持される。一方、図６に示すように、凹部17，34Ａ間の薄肉部18と充填材36と敷板34を削るなどして水抜き孔37を形成することができる。尚、充填材36を充填する前に、凹部17，34Ａ間の薄肉部18と敷板34を削るなどして開口し、この開口に栓部材（図示せず）を挿入し、充填材36の硬化後に栓部材を抜いて、前記水抜き孔37を形成してもよい。
【００３１】
また、他方の薄肉部11，11，12を削るなどして開口し、ここから建築物側で用いる他のケーブル45を枡本体２内に引き込み、ケーブル45の接続端部46を、外部ケーブル42の接続端部43と接続し、この後、蓋体３を閉める。また、溝31を埋め戻し、図２のように、枡本体２を地中に埋設する。尚、図２では、枡本体２及び蓋体３を周囲とほぼ面一にしている。
【００３２】
このように本実施例では、請求項１に対応して、上部の開口部７と側面部５，６と底面部４を有する枡本体２と、開口部７に設ける蓋体３とを備え、枡本体２内にケーブル42，45が引き込まれ、枡本体２をベース32上に設けるケーブル接続用枡において、側面部５に薄肉部11，11，12を形成し、底面部４には、ベース32に対する枡本体２の高さを調整する高さ調整手段13を設けたから、造成地などに枡本体２を設置し、外部ケーブル42などを引き込んで造成段階における接続用枡１の作業を終了する。そして、建築物の施工段階で、ケーブル挿入用の薄肉部11，11，12を、はつるなどして開口し、ここから建築物側のケーブル45を挿入し、外部ケーブル42と接続し、また、ケーブル接続用枡１の周囲の仕上がりに合わせて、枡本体２の高さを調整して設置することができる。
【００３３】
したがって、周囲が、建築物の舗装箇所、芝生箇所、インターロッキング箇所などの各種の仕上がりになっても、それらの高さに合わせてケーブル接続用枡１を設置することができる。
【００３４】
また、このように本実施例では、請求項２に対応して、高さ調整手段13は、底面部４に螺合した複数の高さ調整ネジ14であるから、ベース32上に載置した後、蓋体３を開き、枡本体２の内部から高さ調整ネジ14を操作して枡本体２の高さを調整することができる。また、高さ調整ネジ14は、先端がベース32に接触するから、摩擦抵抗が少なく、調整時にスムーズに回すことができ、一方、複数の高さ調整ネジ14がベース32に接することにより、仮置き状態で、枡本体２が横方向にずれにくい構造となる。
【００３５】
また、このように本実施例では、請求項３に対応して、高さ調整ネジ14の数が３本であるから、高さ調整ネジ14による３点支持により、ベース32に枡本体２を安定して載置することができ、各高さ調整ネジ14を操作することにより、高さ調整と共に枡本体２の傾き調整を容易に行うことができる。
【００３６】
また、このように本実施例では、請求項４に対応して、底面部４に凹部15を形成し、この凹部15の底部に高さ調整ネジ14を螺合し、この高さ調整ネジ14の六角頭部14Ａを凹部15に収納したから、六角頭部14Ａが枡本体２の内面に突出することがなく、ケーブル接続作業の邪魔になることがない。
【００３７】
また、このように本実施例では、請求項５に対応して、請求項１記載のケーブル接続用枡の施工方法において、設置場所Ｓに溝31を設け、この溝31にベース32を設け、このベース32に枡本体２を仮置きし、この枡本体２に外部ケーブル42を引き込んだ後、高さ調整手段13により、枡本体２の高さを設置場所Ｓの仕上げ高さに対応した高さに調整する高さ調整工程と、薄肉部11，11，12に形成した開口から他のケーブル45を枡本体２内に引き込み、外部ケーブル42と他のケーブル45とを接続する工程とを備えるから、ベース32に枡本体２を仮置きし、この枡本体２に外部ケーブル45を引き込んだ後、建築物などの施工を開始するまでの間、蓋体３を閉め、ケーブル作業を中断する。そして、設置場所Ｓの施工が決まったら、設置場所Ｓで用いる電力や通信線などのケーブル45を、枡本体２内の外部ケーブル42と接続し、また、設置場所Ｓの仕上がりに合わせて、枡本体２の高さを調整することにより、ケーブル接続用枡を周囲に合わせて設置することができる。
【００３８】
また、実施例上の効果として、接続用枡１の長さ方向一側で幅方向に間隔をおいた対称位置に、前記高さ調整ネジ14，14を設け、これら高さ調整ネジ14，14と長さ方向の対称位置で幅方向中央に前記高さ調整ネジ14を設けたから、平面略長方形形状の枡本体２を安定して支持することができる。また、凹部17，34Ａ間の薄肉部18と充填材36と敷板34を削るなどして水抜き孔37を形成することができるため、仮に内部に水が浸入しても、その水を下部の通水性を有する基礎砕石層33から地中に排出することができる。
【実施例２】
【００３９】
図１１は、本発明の実施例２を示し、上記実施例１と同一部分に同一符号を付し、その詳細な説明を省略して詳述すると、同図は、ケーブル接続用枡１の蓋体を埋設して設置する例を示し、蓋体３Ａは前記突条部のない平板状のものを用い、前記段部８と枡本体２の上端面７Ａの高さ寸法である蓋嵌合部高さ寸法Ｈが、実施例１のものより小さく形成され、蓋体３Ａの上部に、数センチの単位で土などを埋め戻して使用する。
【００４０】
そして、点検などの際には、蓋体３Ａ上部の土を除き、蓋体３Ａを取り外して内部を確認することができる。
【００４１】
このように本実施例でも、上記各実施例と同様な作用・効果を奏し、ケーブル接続用枡１を露出することなく設置することができる。
【実施例３】
【００４２】
図１２は、本発明の実施例３を示し、上記各実施例と同一部分に同一符号を付し、その詳細な説明を省略して詳述すると、同図の接続用枡１は、実施例１と同一構成の枡本体２を用い、蓋体は、実施例２と同一構成の平板状の蓋体３Ａを用い、この蓋体３Ａの厚さは前記蓋嵌合部高さ寸法Ｈより小さく、同図に示すように、開口部７に蓋体３Ａを嵌めた状態で、蓋体３Ａの上部と枡本体２の上端との間の凹所47に、インターロッキングブロックやレンガなどの装飾ブロック48を設け、ケーブル接続用枡１の周囲の地面にも装飾ブロック49が敷設されている。
【００４３】
そして、接続用枡１の周囲が装飾用ブロック49により覆われる構造の場合、前記高さ調整手段13により上端面７Ａが周囲の装飾用ブロック49とほぼ面一になるように高さ調整を行い、凹所67に、インターロッキングブロック，レンガ又は周囲のデザインに対応したブロック48を嵌め入れ、周囲の景観と合わせることができる。
【００４４】
また、変形例として、蓋体３Ａの上面に装飾用ブロック48を一体に設けたプレキャスト製の蓋体を用いてもよい。
【００４５】
このように本実施例でも、上記各実施例と同様な作用・効果を奏し、ケーブル接続用枡１を周囲のインターロッキングなどに合わせて設置することができ、また、蓋体３Ａの上部と枡本体２の上端との間に凹所47を設けることにより、施工現場に合わせて、蓋体３Ａの上面をンターロッキングブロックやレンガなどにより装飾することができる。
【００４６】
また、実施例上の効果として、蓋体３Ａの上面に装飾用ブロック48を一体に設けたプレキャスト製の蓋体を用いれば、蓋に係る施工を簡便に行うことができる。
【実施例４】
【００４７】
図１３〜図１４は、本発明の実施例４を示し、上記各実施例と同一部分に同一符号を付し、その詳細な説明を省略して詳述すると、同図は、プレキャストコンクリート製の蓋体３Ａの上に、現場打ちコンクリート部51を一体に設ける例を示し、蓋体３Ａの厚さは、前記蓋嵌合部高さ寸法Ｈとほぼ等しく、枡本体２の上端面７Ａ上に、Ｌ型鋼52をインサートボルト53により固定し、そのＬ型鋼52の一辺52Ａにより、前記開口部７上を囲う枠体53が形成されている。各蓋体３Ａの上面には、蓋枠体54が設けられ、この蓋枠体54は幅方向両側のＬ型鋼55，55とこれらＬ型鋼55，55の一辺55Ａ，55Ａの端部を連結するフラットバー56，56とからなり、これらフラットバー56，56は幅方向を上下に向けている。そして、それらＬ型鋼55，55に長さ方向の長孔57を設け、この長孔57に、蓋体３Ａに設けたインサートボルト58を挿通して、蓋体３Ａの上面に前記蓋枠体54を取り付けている。尚、図示しないが、前記インサートボルト53もＬ型鋼52の長孔（図示せず）に挿通される。したがって、それらを現場で位置合わせすることができる。
【００４８】
このように本実施例でも、上記各実施例と同様な作用・効果を奏し、蓋体３Ａの上面を、現場打ちコンクリートなどの充填材により仕上げることができる。
【実施例５】
【００４９】
図１５は、本発明の実施例５を示し、上記各実施例と同一部分に同一符号を付し、その詳細な説明を省略して詳述すると、同図は、上記実施例４で示したように、蓋体３Ａの上に前記蓋枠体54を固定して設け、この蓋枠体54が前記開口部７の上部に嵌り、その蓋枠体54内に、前記装飾用ブロック48を嵌め入れて、ケーブル接続用枡１の周囲の地面の装飾ブロック49と景観を合わせており、蓋体３Ａの取り外しを行っても、蓋枠体54により装飾用ブロック48が蓋体３Ａから外れることがない。
【実施例６】
【００５０】
図１６は、本発明の実施例６を示し、上記各実施例と同一部分に同一符号を付し、その詳細な説明を省略して詳述すると、同図は、上記実施例５で示したように、蓋体３Ａの上に前記蓋枠体54を固定し、蓋枠体54が前記開口部７の上部に嵌り、その蓋枠体54内に現場打ちコンクリートにより蓋コンクリート部61を形成し、また、ケーブル接続用枡１の周囲の地面に現場打ちコンクリートを打設してコンクリート層62を形成し、着色されたコンクリートの現場打ちにより、蓋コンクリート部61とコンクリート層62とを同時に形成することができ、蓋体３Ａは蓋枠体54が開口部７に嵌って該開口部７とは縁が切れているから、蓋コンクリート部61のコンクリートが硬化したら、蓋コンクリート部61が一体となった蓋体３Ａを、開口部７から取り外すことができる。
【００５１】
尚、本発明は、前記実施形態に限定されるものではなく、種々の変形実施が可能である。例えば、実施例では、平面略長方形形状の枡本体を示したが、枡本体の形状は、円形又は楕円形などでもよい。また、ベースは各種のものを用いることができ、地盤の支持力が十分に得られる箇所では、各ボルトに対応して、ベースとなる支持板を設けた構造でもよい。
【図面の簡単な説明】
【００５２】
【図１】本発明の実施例１を示す長さ方向の縦断面図である。
【図２】同上、幅方向の断面図である。
【図３】同上、斜視図である。
【図４】同上、枡本体の平面図である。
【図５】同上、高さ調整手段の要部の断面図である。
【図６】同上、底面部とベースの要部の断面図である。
【図７】同上、栓体を示し、図７（Ａ）は平面図、図７（Ｂ）は蓋体の一部を断面にした正面図、図７（Ｃ）は側面図である。
【図８】同上、鍵鋼の平面図である。
【図９】同上、施工工程の断面図である。
【図１０】同上、施工工程の平面図である。
【図１１】本発明の実施例２の幅方向の断面図である。
【図１２】本発明の実施例３の幅方向の断面図である。
【図１３】本発明の実施例４の幅方向の断面図である。
【図１４】同上、要部の平面図を示し、図１４（Ａ）は蓋枠体の平面図、図１４（Ｂ）は蓋体の平面図である。
【図１５】本発明の実施例５の幅方向の断面図である。
【図１６】本発明の実施例６の幅方向の断面図である。
【図１７】従来例の断面図である。
【符号の説明】
【００５３】
１  ケーブル用接続枡
２  枡本体
３  蓋体
４  底面部
５  側面部
６  側面部
７  開口部
11  薄肉部
12  薄肉部
13  高さ調整手段
14  高さ調整ネジ
14Ａ  六角頭部（工具係合部）
15  収納凹部
31  溝
32  ベース
42  外部ケーブル
45  他のケーブル
Ｓ  設置場所
【図１】
2008245435.tif 000003
【図２】
2008245435.tif 000004
【図３】
2008245435.tif 000005
【図４】
2008245435.tif 000006
【図５】
2008245435.tif 000007
【図６】
2008245435.tif 000008
【図７】
2008245435.tif 000009
【図８】
2008245435.tif 000010
【図９】
2008245435.tif 000011
【図１０】
2008245435.tif 000012
【図１１】
2008245435.tif 000013
【図１２】
2008245435.tif 000014
【図１３】
2008245435.tif 000015
【図１４】
2008245435.tif 000016
【図１５】
2008245435.tif 000017
【図１６】
2008245435.tif 000018
【図１７】
2008245435.tif 000019